(57)【特許請求の範囲】
【請求項１】
弾性を有する複数の素線からなるブラシと、前記ブラシを開閉動作する物体のそれぞれに対向させて設け、前記物体の衝突時に互いの素線をそれぞれ対向する素線の間に接触し割り込ませる緩衝手段において、前記ブラシの素線間の隙間が対向するブラシの素線径より狭い部分を有し、前記物体の衝突時及び引き離しに対向するブラシの素線間に摩擦力を生じさせることを特徴とする緩衝ブラシ。
【請求項２】
物体の衝突時にそれぞれの素線を素線軸の垂直方向に湾曲させながら割り込んでブラシの重なりにより摩擦力を発生させ、前記物体の引き離し時に素線の湾曲が復帰しブラシの重なり部が縮小しつつ素線間の摩擦力を維持することを特徴とする請求項1記載の緩衝ブラシ。
【請求項３】
ブラシ素線を束ねたブラシ植毛の間隔をおいて配置したことを特徴とする請求項１から請求項2の何れか1項に記載の緩衝ブラシ。
【請求項４】
ブラシ素線の固定部より先端に向かって隙間が拡大していることを特徴とする請求項１から請求項3の何れか1項に記載の緩衝ブラシ。
【発明の詳細な説明】
【技術分野】
【０００１】
本発明は、家具・事務機器・住宅その他の扉と扉枠や家具の引き出しとその枠など、可動部における衝撃緩衝用具に関するものである。
【背景技術】
【０００２】
例えば、住宅扉においては、扉と扉枠の緩衝用具としてゴム系素材・ばね・磁石・空気シリンダーなどが使用されている。また、跳ね返り防止用金具の使用例として、扉の跳ね返り防止対策の反動防止ストッパー付引き戸が提案されている（特許文献１参照）。
【０００３】
【特許文献１】特許公開２００２-４７０２号公報
【発明の開示】
【発明が解決しようとする課題】
【０００４】
しかしながら、このような緩衝用具を用いた場合には、コスト高になるだけでなく、大掛かりなものとなるため、さらなる簡素化が望まれている。
本発明は、このような要望に応え得る緩衝用具を提供することを目的とするもので、極めて簡単な機構により家具・事務機器・住宅その他の扉と扉枠や家具の引き出しなど、可動部の衝突力を緩衝することにより、衝突音と跳ね返りを解消することができるようにしたものである。
【課題を解決するための手段】
【０００５】
本発明においては、ブラシ植毛素線同士を突き当て、割り込ませてクサビ作用をさせることにより、衝撃力の緩衝を図ることができる。例えば、本緩衝ブラシを扉と扉枠間に設置すれば、扉を閉めたときの衝突音と跳ね返りを解消することができる。また、家具の引き出しとその枠間に、本緩衝ブラシを設置すれば、引き出しを閉めたときの衝突音と跳ね返りを解消することができる。
【０００６】
前記の課題を解決するために、本発明では、請求項１で示すように弾性を有する複数の素線からなるブラシを、開閉動作する物体のそれぞれに対向させ、素線は前記物体の衝突時に前記ブラシの互いの素線をそれぞれ対向する素線の間に接触し割り込ませられるように設けるものとし、前記ブラシは素線間の隙間が対向するブラシの素線径より狭い部分を有し、前記物体の衝突時及び引き離しに対向するブラシの素線間に摩擦力を生じさせる。
【発明の効果】
【０００７】
本発明によれば、極めて簡単な機構により様々な部分における可動部材の衝撃を緩衝することができ、衝突音と跳ね返りを解消することができる。
【発明を実施するための最良の形態】
【０００８】
本発明の緩衝ブラシを住宅用扉に適用した場合を例に挙げて、本発明の好ましい実施の形態を図面に基づいて説明する。
図１、図２、図３は、本発明の緩衝ブラシを戸当り用として住宅用扉に設置した場合の一例を示す。図１は引戸・引戸サッシに設置した場合を示し、図２は開き戸・折れ戸に設置した場合を示す。また、図３はシャッターに設置した場合の一例を示す。図１〜図３に示すように、戸当りブラシ１，２を扉１０と扉枠１１間の戸当り面に設置する。また、図２の開き戸の場合には、戸当りブラシ２を扉枠１１の他に扉開放時の戸当りとして壁面等に設置してもよい。
【０００９】
図４、図５に、扉閉め動作における戸当りブラシ植毛１a，２a同士の噛み合いイメージを示す。図６、図７、図８、図９には、扉閉め時のブラシ植毛素線１a,２a同士の突き当たりから滑り込みまでの動作イメージとクサビ作用の原理を示す。図６に示すようにブラシ植毛素線１aは1本ずつの素線１a１・１a２などの複数の素線からなっており、同様に植毛素線2aは素線２a１・２a２などの複数の素線からなっている。図６はブラシが衝突する瞬間を示したものであり、素線２a２の外径Ｄ2よりも素線１a1と素線１a２との隙間Ｌ１が小さいので、弾性の素線１a１と１a２を素線の垂直方向に湾曲させて割り込ませる。同様に素線１a１の外径Ｄ１よりも素線２a１と素線２a２との隙間Ｌ２が小さいので、弾性の素線２a１と２a２を素線の垂直方向に湾曲させて割り込ませる。図７は素線間の隙間に素線が割り込んで滑り込んだ状態を示し、図８はさらに噛み合いが進んだ状態を示し、図７から図８にかけて素線同士が摺動摩擦しながら移動する。
図９を用いて緩衝の原理を簡単に説明すると、衝突時にブラシ植毛素線１a１が２a１と２a２の間に突き刺さり、扉の進行方向力（→Ｆ）は上下左右方向力（→Ｆ1, →Ｆ2）に分散されて摺動摩擦するため、扉は制動して衝突音は解消される。また、跳ね返り解消のメカニズムは、扉の跳ね返り力の矢印は反対向きに作用し、跳ね返り方向力（←Ｆ）は上下左右方向力（←Ｆ１,←Ｆ２）に分散されてブラシ植毛素線１a１，１a２,２a1,２a２同士の弾性でお互いに撓んで食い込み、クサビ作用によって把握力が発生し、跳ね返りは解消される。
【００１０】
図１０〜図１５は、現状の引戸１０と引戸枠１１に取り付けできるようにした場合の戸当りブラシ１,２の形状を示す。図１０、図１１における戸当りブラシ１,２のブラシ植毛１d,２dは安価な製法とし、溝型鋼材体１b,２b、芯線１c,２c、ブラシ植毛素線１a,２aの部品によって一体に構成した場合の一例を示す。ブラシ取付け座１e,２cはブラシ植毛１d,２dを固定すると共に、ブラシ取付け座面１f,２fには芯だし調整用のブラシ取付け長穴１g,２gを設けており、固定ねじ３を用いて固定する。また、図１３に示すように、扉芯だし調整用の調整板４を装備することができる。なお、図１０、図１１に示すようにブラシ素線１a, ２aは、固定部より先端部に向かって隙間が拡大するものとする。
【００１１】
図１２〜図１５における戸当りブラシ１,２は、ブラシ植毛素線１a,２aをブラシ取付け座１j,２j,１k,２kに植え込んで一体に構成したブラシ植毛１d,２dとし、ブラシ取付け座１j,２j,１k,２kをアルミ・樹脂等で作製した場合を示す。図１２、図１３にはブラシ植毛１d,２dを長方形とした一例を示し、図１４、図１５にはブラシ植毛を円形とした一例を示す。又、図１２〜図１５で示すようにブラシ素線１a,２aを束ねたブラシ植毛１d,２dは、間隔をおいて配置するものとする。
【００１２】
ブラシ植毛素線１a，２aは弾性を有し、摩擦特性の優れたものとし、扉重量に合せて植毛素線径・植毛素線長さ・植毛素線密度を決めるものとする。また、ブラシ植毛１d，２dの形状は図１２〜図１４で示すように、引戸１０・引戸枠１１に取付けできるように四角形または円形にしてもよい。さらに、受圧面は単に平面にしてもよいし、ブラシ植毛素線１a，２a同士の滑り込みを良くするために、図２７、図２８に示すように、凹凸面にしてもよい。
【００１３】
図１６〜図２６は現状の引戸１０と引戸枠１１に戸当りブラシ１，２を取付けた場合の使用例を示すものである。
【００１４】
図１６〜図１８は引戸角部を切り取って戸当りブラシ１を横向きにして取付けできるようにしたもので、戸当りブラシ２は引戸枠１１の溝に直接取付けた場合の一例を示す。
【００１５】
図１９〜図２１は引戸１０の角部に溝を設けて戸当りブラシ１を縦向きにしてはめ込んで取付け、戸当りブラシ２は引戸枠１１の側面に直接取付けた場合の一例を示す。
【００１６】
図２２、図２３は現状の引戸１０・引戸枠１１に加工を施さずに戸当りブラシ１，２を縦向きにして取付けた場合の一例を示す。図２４〜図２６は引戸１０の角部と引戸枠１１に溝を設けて戸当りブラシ１，２を取付けた場合の一例を示す。
【００１７】
このように、住宅扉の場合を例に挙げると、扉１０と扉枠１１間の扉当り面に本緩衝ブラシ１，２を容易に取付けることができる。また、全体として極めて簡単な構造のものとすることができる。さらに、緩衝ブラシ１，２を取付ける事によって衝突音が解消され、扉１０の跳ね返りが無くなり、前記課題を解決することができる。
【００１８】
また、戸当りブラシ１，２はブラシ植毛１d，２dとブラシ取付け座１e，２e、１j，２j、１k，２kで構成されているので、簡単な構造のものになる。使用条件を考慮して植毛素材が選べるので使い易くなる。また、扉１０と扉枠１１に合せて取付けできる形状にすることが容易にできるので、使用範囲が広がる。
【００１９】
また、ブラシ植毛１d，２dとブラシ取付け座１e，２e、１j，２j、１k，２kは既存設備を利用して量産できるので、高品質で安価な商品提供ができる。また、戸当りブラシ１，２の取付けは固定ねじ３で止めて芯だし調整ができるので、施工性が良い。
【００２０】
さらに、ブラシ植毛１d，２dの形状が使用条件に合せて変えられるので、使用範囲が広がり、受圧面に凹凸を付ける事で植毛素線の滑り込みが良くなり、植毛素線の曲げ変形が無くなるので、耐久性が向上する。
【産業上の利用可能性】
【００２１】
ここでは、本発明の緩衝ブラシを住宅用扉に適用した場合を例に挙げて説明したが、家具・事務機器その他の扉と扉枠の場合にも適用できる。さらに、家具の引き出しなど様々な可動部の衝撃緩衝用として利用できる。
【図面の簡単な説明】
【００２２】
【図１】引戸・引戸枠に戸当りブラシを設置した場合の一例を示す概略正面図である。
【図２】半開き戸・開き戸枠に戸当りブラシを設置した場合の一例を示す概略正面図である。
【図３】シャッター・シャッター枠に戸当りブラシを設置した場合の一例を示す概略正面図である。
【図４】扉閉め時に扉枠側戸当りブラシと扉側戸当りブラシが突き当たる前のイメージ図である。
【図５】扉閉め時に扉枠側戸当りブラシと扉側戸当りブラシが噛み合う状態のイメージ図である。
【図６】扉閉め時に扉枠側戸当りブラシと扉側戸当りブラシが突き当る瞬間の拡大イメージ図である。
【図７】扉閉め時に扉枠側戸当りブラシと扉側戸当りブラシが滑り込む寸前の拡大イメージ図である。
【図８】扉閉め時に扉枠側戸当りブラシと扉側戸当りブラシが噛み合う状態の拡大イメージ図である。
【図９】扉閉め時に扉枠側戸当りブラシと扉側戸当りブラシが噛み合う状態をさらに詳細に示す拡大イメージ図で、前後方向衝突力Ｆと上下左右方向分散力Ｆ1、Ｆ2の関係を→印で示す
【図１０】現状の引戸・引戸枠に取付けできる形状で溝型植毛製法にした場合の戸当りブラシ平面図である。
【図１１】図１０の正面図である。
【図１２】現状の引戸・引戸枠に取付けできる形状にした植込み植毛にした場合の戸当りブラシ平面図である。
【図１３】図１２の正面図である。
【図１４】現状の引戸と引戸枠に溝加工を施して取付けできるように丸型形状で植込み植毛にした場合の戸当りブラシ正面図である。
【図１５】図１４の側面図である
【図１６】現状の引戸枠と引戸に切り欠きを入れて戸当りブラシを設置した場合の戸閉め時の平面図である。
【図１７】図１６の正面図である。
【図１８】図１６の側面図である。
【図１９】現状の引戸枠と引戸に溝加工を施して戸当りブラシをはめ込んだ場合の戸閉め時の平面図である。
【図２０】図１９の正面図である。
【図２１】図１９の側面図である。
【図２２】現状の引戸と引戸枠に戸当りブラシを設置した場合の戸閉め時の平面図である。
【図２３】図２２の正面図である。
【図２４】現状の引戸と引戸枠に溝加工を施して戸当りブラシをはめ込んだ場合の戸閉め時の平面図である。
【図２５】図２４の正面図である。
【図２６】図２４の側面図である。
【図２７】図１４のブラシ植毛に対してブラシ植毛受圧面を凹形にした場合である。
【図２８】図１４のブラシ植毛に対してブラシ植毛受圧面を凸形にした場合である。
【図２９】図９などのブラシ植毛に対してブラシ植毛素線を波状形にした場合である。
【符号の説明】
【００２３】
１ …扉側戸当りブラシ
２ …扉枠側戸当りブラシ
１a…ブラシ植毛素線
２a…ブラシ植毛素線
１b…溝型鋼材
２b…溝型鋼材体
１c…芯線
２c…芯線
１d…ブラシ植毛
２d…ブラシ植毛
１e…ブラシ取付け座
２e…ブラシ取付け座
１f…ブラシ取付け座面
２f…ブラシ取付け座面
１g…ブラシ取付け長穴
２g…ブラシ取付け座長穴
１j…ブラシ取付け座
２j…ブラシ取付け座
１k…ブラシ取付け座
２k…ブラシ取付け座
３ …固定ねじ
４ …調整板
１０…扉（引戸・引戸サッシ・開き戸・折れ戸・シャッター）
１１…扉枠（引戸枠・引戸サッシ枠・開き戸枠・折れ戸枠・シャッター枠）
【図１】
0004547472.tif 000002
【図２】
0004547472.tif 000003
【図３】
0004547472.tif 000004
【図４】
0004547472.tif 000005
【図５】
0004547472.tif 000006
【図１０】
0004547472.tif 000007
【図１１】
0004547472.tif 000008
【図１２】
0004547472.tif 000009
【図１３】
0004547472.tif 000010
【図１４】
0004547472.tif 000011
【図１５】
0004547472.tif 000012
【図１６】
0004547472.tif 000013
【図１７】
0004547472.tif 000014
【図１８】
0004547472.tif 000015
【図１９】
0004547472.tif 000016
【図２０】
0004547472.tif 000017
【図２１】
0004547472.tif 000018
【図２２】
0004547472.tif 000019
【図２３】
0004547472.tif 000020
【図２４】
0004547472.tif 000021
【図２５】
0004547472.tif 000022
【図２６】
0004547472.tif 000023
【図２７】
0004547472.tif 000024
【図２８】
0004547472.tif 000025
【図２９】
0004547472.tif 000026
【図６】
0004547472.tif 000027
【図７】
0004547472.tif 000028
【図８】
0004547472.tif 000029
【図９】
0004547472.tif 000030